【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
複数の接続されたデバイスとシステムネットワークとを備える拡張可能なホームオートメーションシステムであって、前記拡張可能なホームオートメーションシステムは、システムネットワークを介して互いに通信する前記複数の接続されたデバイスにより、衛生施設と、前記衛生施設を備える要素とを、監視し、管理し、かつ制御するように意図され、前記システムネットワークが、物理的に1つまたはいくつかのサブネットワークから構成され、各々が
・  無線、
・  有線、
・  移動体、
のタイプの1つであり、
前記複数の接続されたデバイスの各々が、前記システムネットワークを介してインターネットネットワーク上で情報を伝送および受信するためのハードウェアおよびソフトウェア手段を備え、
前記接続されたデバイスの各々が電子インターフェース(1-A、1-B、1-Cまたは1-D)を備え、前記電子インターフェース(1-A、1-B、1-Cまたは1-D)が、
・  1つまたは複数の機能を実現することを可能にするソフトウェアを実行する論理処理ユニット(1-A4、1-B4、1-C4または1-D4)と、
・  他の接続されたデバイスのすべてと前記システムネットワークにおいて情報を伝送および受信するように構成されたハードウェアおよびソフトウェア手段と、
・  インターネットに接続された遠隔端末と前記システムネットワークにおいて情報を伝送および受信するように構成されたハードウェアおよびソフトウェア手段と、
・  前記複数の接続されたデバイスのうちの他の接続されたデバイスによって伝達される情報を使用することにより1つまたは複数の機能を実現するためのハードウェアおよびソフトウェア手段と、
・  前記インターネットに接続された遠隔端末によって伝達される情報または命令を使用することにより1つまたは複数の機能を実現するように構成されたハードウェアおよびソフトウェア手段と、
・  前記遠隔端末に警報メッセージまたは情報を伝送するように構成されたハードウェアおよびソフトウェア手段と、
を備え、
前記複数の接続されたデバイスの各々が、センサ-アクチュエータ(2-C、9-4)、および/または単一遮断の衛生収集機(3D)、および/または複数遮断の衛生収集機(3C)、および/または単一遮断のモジュール式衛生収集機(4F)、および/または複数遮断のモジュール式衛生収集機(4-C、9-12)、および/または栓(5A、5B、5C、5D、9-16)、および/またはドレンプラグ(6-B、6-C、9-17)、および/またはフロート弁(7A、9-18)、および/または衛生機器(8B-0、9-13)、および/または湿気検知器(8A、8B-2、9-14)から得られ、
インターフェース(1-A、1-B、1-Cまたは1-D)を統合する前記複数の接続されたデバイスの各々が、
・  その動作状態および水の使用についての情報を前記システムネットワーク上で伝送し、
・  他の接続されたデバイスから受信した情報に応じてその動作を変更し、
・  遠隔端末によって制御可能である
ように構成されたことを特徴とする、システム。
【請求項２】
前記複数の接続されたデバイスのうちの少なくとも1つの接続されたデバイスの前記電子インターフェース(1-A、1-B、1-Cまたは1-D)が、前記接続されたデバイスのすべての相互接続を提供するために、前記システムネットワークの伝送サポートに関する信号の範囲を拡張するように、中継器の機能を保証するためのハードウェアおよびソフトウェア手段を備える、請求項1に記載のシステム。
【請求項３】
前記複数の接続されたデバイスのうちの少なくとも1つの接続されたデバイスの前記電子インターフェース(1-A、1-B、1-Cまたは1-D)が、それぞれ異なるプロトコルを使用している2つのサブシステムネットワークを相互接続するために、ゲートウェイの機能を保証するためのハードウェアおよびソフトウェア手段を備える、請求項1または2に記載のシステム。
【請求項４】
センサ-アクチュエータを備え、前記センサ-アクチュエータが、
・  前記衛生施設のパイプに対する、前記接続されたデバイスであるセンサ-アクチュエータの接続を可能にする、一端における水入口の取付け器具(2A-2、2B-2または2C-2)および他端における水出口の取付け器具(2A-3、2B-3または2C-3)と、
・  電気信号を使用することにより、前記接続されたデバイスであるセンサ-アクチュエータが取り付けられている前記パイプの中を流通する水の流量を制御することを可能にする電気弁(2A-4または2B-4)と、
・  電気信号を供給する流量センサ(2A-5または2B-5)であって、前記電気信号が、前記センサ-アクチュエータが取り付けられている前記パイプの中を流通する流量に応じて変化し得る少なくとも1つの特性を有する、流量センサ(2A-5または2B-5)と、を備える、請求項1に記載のシステム。
【請求項５】
前記センサ-アクチュエータが圧力センサ(2B-6)を備え、前記圧力センサ(2B-6)が別の電気信号を供給し、前記別の電気信号の特性のうち少なくとも1つが、前記センサ-アクチュエータの前記水入口における水の圧力に応じて変化する、請求項4に記載のシステム。
【請求項６】
複数の流通出口および単一の弁を備える単一遮断の衛生収集機を備え、前記単一遮断の衛生収集機が、
・  一次パイプおよび/または別の衛生収集機を接続するための、前記単一遮断の衛生収集機の2つの端部の各々における水入口の取付け器具(3B-2または3D-2)と、
・  前記単一遮断の衛生収集機側の各水出口用の取付け器具(3B-3または3D-3)であって、二次パイプへの接続を可能にし、従来の衛生収集機の代わりに、前記単一遮断の衛生収集機を取り付けることを可能する、各水出口用の取付け器具(3B-3または3D-3)と、
・  電気信号を使用することにより、前記接続されたデバイスである単一遮断の衛生収集機の前記水出口のすべてに流通する水の流量を制御することを可能にする電気弁(3B-4)と、
・  電気信号を供給する、各水出口用の流量センサ(3B-5)であって、前記電気信号の特性のうち少なくとも1つが、センサが接続されている前記水出口に流通する流量に応じて変化する、各水出口用の流量センサ(3B-5)と、を備える、請求項1に記載のシステム。
【請求項７】
前記水出口における複数の流通出口および複数の弁を備える複数遮断の衛生収集機を備え、前記複数遮断の衛生収集機が、
・  一次パイプおよび/または別の衛生収集機を接続するための、前記複数遮断の衛生収集機の2つの端部の各々における水入口の取付け器具(3A-2または3C-2)と、
・  前記単一遮断の衛生収集機側の各水出口用の取付け器具(3A-3または3C-3)であって、二次パイプの接続を可能にし、前記単一遮断の衛生収集機を取り付けることを可能する、各水出口用の取付け器具(3A-3または3C-3)と、
・  電気信号を使用することにより、電気弁が接続されている前記水出口に流通する水の流量を制御することを可能にする、各水出口用の電気弁(3A-4)と、
・  電気信号を供給する、各水出口用の流量センサ(3A-5)であって、前記電気信号の特性のうち少なくとも1つが、前記センサが接続されている前記水出口に流通する流量に応じて変化する、各水出口用の流量センサ(3A-5)と、を備える、請求項6に記載のシステム。
【請求項８】
前記単一遮断のモジュール式衛生収集機が、
・  前記単一遮断の衛生収集機に基づいて構成されている単一遮断の基本モジュール(4F-0a)と呼ばれる接続されたデバイスであって、
〇  前記一次パイプの接続を可能にする水入口の取付け器具(4D-2または4F-2a)と、
〇  単一遮断の追加モジュールと呼ばれる接続されたデバイスの接続を可能にする一次水出口の取付け器具(4D-6または4F-6)と、
〇  必要に応じてゲートウェイ機能を使用することにより、前記単一遮断の基本モジュールによって提供された有線システムネットワークに、前記単一遮断の追加モジュールを接続することを可能にする電気コネクタ(4D-7または4F-7)と、
〇  二次パイプの接続を可能にする二次水出口の取付け器具(4D-3または4F-3)と、
〇  電気信号を使用することにより、一次水出口(4D-6または4F-6)および二次水出口(4D-3または4F-3)に流通する水の流量を制御することを可能にする電気弁(4D-4)と、
〇  電気信号を供給する流量センサ(4D-5)であって、前記電気信号の特性のうち少なくとも1つが、前記二次水出口(4D-3または4F-3)に流通する流量に応じて変化する、流量センサ(4D-5)と、を備える、接続されたデバイスと、
・  前記単一遮断の衛生収集機に基づいて構成されている、単一遮断の追加モジュール(4F-0b)と呼ばれる、従来の衛生収集機の代わりに前記単一遮断のモジュール式衛生収集機を接続することを可能にする衛生収集機をそれぞれ形成するために構成されている、複数の接続されたデバイスであって、前記単一遮断の追加モジュールの各々が、
〇  前記単一遮断の追加モジュールを、前記単一遮断の基本モジュールまたは別の単一遮断の追加モジュールに接続することを可能にする、水入口の取付け器具(4E-2または4F-2b)と、
〇  前記単一遮断の追加モジュールの、前記単一遮断の基本モジュールによって提供される、または別の単一遮断の追加モジュールによって伝送される、有線システムへの接続を可能にする電気コネクタ(4E-8または4F-8)と、
〇  別の単一遮断の追加モジュールの接続を可能にする一次水出口の取付け器具(4E-6または4F-6)と、
〇  別の単一遮断の追加モジュールの、前記単一遮断の基本モジュールによって提供される、または前記単一遮断の追加モジュールによって伝送される、前記システムネットワークへの接続を可能にする電気コネクタ(4E-7または4F-7)と、
〇  二次パイプの接続を可能にする二次水出口の取付け器具(4E-3または4F-3)と、
〇  電気信号を供給する流量センサ(4E-5)であって、前記電気信号の特性のうち少なくとも1つが、前記二次水出口(4E-3または4F-3)に流通する流量に応じて変化する、流量センサ(4E-5)と、を備える、複数の接続されたデバイスと、を備える、請求項6に記載のシステム。
【請求項９】
複数遮断のモジュール式衛生収集機を備え、前記複数遮断のモジュール式衛生収集機が、
・  前記複数遮断の衛生収集機に基づいて構成されている、複数遮断の基本モジュール(4C-0a)と呼ばれる接続されたデバイスであって、
〇  前記一次パイプの接続を可能にする水入口の取付け器具(4A-2または4C-2a)と、
〇  複数遮断の追加モジュールの接続を可能にする一次水出口の取付け器具(4A-6または4C-6)と、
〇  必要に応じてゲートウェイ機能を使用することにより、前記複数遮断の基本モジュールによって提供される、有線システムネットワークへの、複数遮断の追加モジュールの接続を可能にする電気コネクタ(4A-7または4C-7)と、
〇  二次パイプの接続を可能にする二次水出口の取付け器具(4A-3または4C-3)と、
〇  電気信号を使用することにより、前記二次水出口(4A-3または4C-3)に流通する水の流量を制御することを可能にする電気弁(4A-4)と、
〇  電気信号を供給する流量センサ(4A-5)であって、前記電気信号の特性のうち少なくとも1つが、前記二次水出口(4A-3または4C-3)に流通する流量に応じて変化する、流量センサ(4A-5)と、を備える、接続されたデバイスと、
・  前記複数遮断の衛生収集機に基づいて構成されている、複数遮断の追加モジュール(4C-0b)と呼ばれる、従来の衛生収集機の代わりに前記複数遮断のモジュール式衛生収集機を接続することを可能にする衛生収集機を形成するために構成されている、複数の接続されたデバイスであって、複数の複数遮断の追加モジュールの各々が、
〇  前記複数遮断の追加モジュールを、前記複数遮断の基本モジュールまたは別の複数遮断の追加モジュールに接続することを可能にする、水入口の取付け器具(4B-2または4C-2b)と、
〇  前記複数遮断の追加モジュールの、前記複数遮断の基本モジュールによって提供される、または別の複数遮断の追加モジュールによって伝送される、有線システムへの接続を可能にする電気コネクタ(4B-8または4C-8)と、
〇  別の複数遮断の追加モジュールの接続を可能にする一次水出口の取付け器具(4B-6または4C-6)と、
〇  別の複数遮断の追加モジュールの、前記複数遮断の基本モジュールによって提供される、または前記複数遮断の追加モジュールによって伝送される、前記システムネットワークへの接続を可能にする電気コネクタ(4B-7または4C-7)と、
〇  二次パイプの接続を可能にする二次水出口の取付け器具(4B-3または4C-3)と、
〇  電気信号を使用することにより、前記二次水出口(4B-3または4C-3)に流通する水の流量を制御することを可能にする電気弁(4B-4)と、
〇  電気信号を供給する流量センサ(4B-5)であって、前記電気信号の特性のうち少なくとも1つが、前記二次水出口(4B-3または4C-3)に流通する流量に応じて変化する、流量センサ(4B-5)と、を備える、複数の接続されたデバイスと、を備える、請求項7に記載のシステム。
【請求項１０】
栓を備え、前記栓が、単純栓、または2つハンドルの混合栓、または単一ハンドルの混合栓のうちの1つから得られ、前記栓が、
・  前記単純栓用の水入口の取付け器具、または前記単一ハンドルの混合栓および前記2つハンドルの混合栓用の2つの水入口の取付け器具(5A-2)を備える、請求項1に記載のシステム。
【請求項１１】
前記栓の各水入口について、流量の流量計(5C-5、5D-5)を備え、前記流量計(5C-5、5D-5)は電気信号を供給し、前記電気信号の特性のうち少なくとも1つが、センサが接続されている前記水入口(5C-2、5D-2)を流通する流量に応じて変化する、請求項10に記載のシステム。
【請求項１２】
前記接続されたデバイスが単純栓および/または単一ハンドルの混合栓であるとき1つのセンサ(5A-3)を備え、または前記接続されたデバイスが2つハンドルの混合栓であるとき2つのセンサを備え、これらセンサの各々は電気信号を供給し、前記電気信号の特性のうち少なくとも1つが、前記栓の機構の位置に応じて変化し、前記栓の開放の検知を可能にする、請求項10または11に記載のシステム。
【請求項１３】
電気信号を使用することにより、少なくとも1つの単純栓または2つハンドルの混合栓または単一ハンドルの混合栓の中を流通する流量を変化させることを可能するように構成された電気弁(5B-4または5D-4)を備える、請求項12に記載のシステム。
【請求項１４】
前記栓の各水入口について、電気弁(5B-4または5D-4)を備え、前記電気弁(5B-4または5D-4)が、電気信号を使用することにより、前記栓の前記水入口を流通する流量を変化させることを可能にするように構成された、請求項10から12のいずれか一項に記載のシステム。
【請求項１５】
フロート弁を備え、前記フロート弁が、
・  前記衛生施設のパイプに対する前記フロート弁の接続を可能にする水入口の取付け器具(7A-2)と、
・  タンクの充填を可能にする水出口(7A-3)と、
・  位置センサ(7A-5)が組み込まれたフロート(7A-6)であって、タンク内の水のレベルを測定することを可能にするフロート(7A-6)と、
・  電気信号を使用することにより、前記水出口(7A-3)に流通する水の流量を制御することを可能にする電気弁(7A-4)と、を備える、請求項1に記載のシステム。
【請求項１６】
ドレンプラグを備え、前記ドレンプラグが、
・  位置センサ(6C-5)が設けられた電気弁(6C-4)であって、電気信号を使用することにより、水入口(6C-2)から出口(6C-3)に流通する水の流量を制御することを可能にしてドレンにおける水の流量を制御する電気弁(6C-4)、または
・  機構(6Aまたは6B-2)であって、
〇  電気信号を使用することにより、前記ドレンプラグ(6B-4)を上下させて前記ドレン内の水の流量を制御するように操作ロッド(6A-3または6B-3)の位置を変化させることを可能にするデバイス(6A-2e)と、
〇  前記ドレンプラグ(6B-4)の適切な開閉を制御することを可能にする位置センサ(6A-2c)と、を備える、請求項1に記載のシステム。
【請求項１７】
湿気検知器を備え、前記湿気検知器が湿気センサ(8A-2)を備える、請求項1に記載のシステム。
【請求項１８】
請求項4から9のいずれか一項に記載のシステムの流量センサを構成設定する過程を有する方法であって、前記構成設定する過程が、
・  特性としてD=0 リットル/分 ∀tであり、Dが流量を示し、tが時間を示す参照流量動作テンプレートを生成するステップ(11-1)と、
・  前記システムネットワーク内の前記複数の接続されたデバイスのうちの接続された他のデバイスの数およびタイプを検知するステップ(11-2)と、
・  前記流量センサに水を供給する電気弁が組み込まれた接続されたデバイスを定義することを可能にし、前記論理処理ユニットがこの電気弁をAと称される変数に記録することを可能にするステップ(11-3)と、
・  前記流量センサによって水が直接供給される接続されたデバイスを定義することを可能にし、前記論理処理ユニットが、
〇  前記接続されたデバイスに電気弁が組み込まれている場合、前記電気弁がovと称される第1のリストに記録され、
〇  前記接続されたデバイスに流量センサが組み込まれている場合、前記流量センサがodと称される第2のリストに記録され、
〇  前記接続されたデバイスに湿気センサが組み込まれている場合、前記湿気センサがohと称される第3のリストに記録される、
というアルゴリズムを実行することを可能にする一連のステップ(11-4)と、
・  前記論理処理ユニットが、流量センサが組み込まれた専用の接続されたデバイスを有しない水ポイントに関する動作限界を設定するテンプレート(10)を作成することを可能にし、前記流量センサの水の供給が前記流量センサによって直接制御される一連のステップ(11-5)と、を含むことを特徴とする方法。
【請求項１９】
請求項18に記載の方法であって、監視する過程を有し、前記監視する過程が、
・  前記電気弁が前記リストovに記録されている接続された対象物のうち1つが、前記電気弁が閉じていないことを示す信号を送信した場合、またはohと称される前記リストに記録されている接続された対象物のうちの1つが、湿気を検知したことを示す信号を送信した場合、少なくとも1つの接続されたデバイスの前記論理処理ユニットが反応することを可能にするステップ(12-1)であって、前記反応が、前記電気弁Aを閉じるステップ(12-9)と、前記システムネットワークを通じて閉鎖警報を送信するステップ(12-10)からなる、ステップ(12-1)と、
・  前記流量センサによって供給された値Dを測定するステップ(12-2)と、
・  D>0 リットル/分を確認することを可能にするステップ(12-3)であって、Dは前記ステップ(12-2)において測定された流量を示し、D>0 リットル/分でなければ前記ステップ(12-1)に戻る、ステップ(12-3)と、
・  前記電気弁Aが閉じておらず故障していることを意味するのを確認し、前記電気弁Aに給水している前記接続されたデバイスに警報して前記ステップ(12-1)に戻るように閉鎖障害警報を送信するために、ステップ(12-12)に直接切り換えることを可能にするステップ(12-4)と、
・  Dj=D-ΣDiを計算することを可能する一連のループするステップ(12-5)であって、Djが残留流量を示し、Dがステップ(12-2)において測定された流量を示し、ΣDiが、前記リストodに記録されている前記流量センサによって測定された流量の合計を示す、一連のループするステップ(12-5)と、
・  前記残留流量Djが0よりも大きいことを確認することを可能にするステップ(12-6)であって、前記残留流量Djが0よりも大きくなければ前記ステップ(12-1)に戻る、ステップ(12-6)と、
・  前記残留流量Djが正常動作領域内にないかどうかを判定するために、構成設定において作成されたテンプレートを使用し、したがって、前記残留流量Djをパラメータとして用いて警報する方法(12-8)を呼び出さなければならない場合、いずれの場合も前記ステップ(12-1)に戻る、ステップ(12-7)と、を含むことを特徴とする、方法。
【請求項２０】
請求項18または19に記載の方法であって、前記システムの前記流量センサの警報過程を有し、前記警報過程が、
・  残留流量が破損警報領域内にある場合にはステップ(13-8)に切り換え、そうでなければステップ(13-2)に切り換えるために、構成設定において作成されたテンプレートを使用するステップ(13-1)と、
・  前記方法を終了する前に、前記電気弁Aを閉じ、前記システムネットワークを通じて破損警報を伝送することを可能にするステップ(13-8、13-9)と、
・  進行中のユーザの命令がないことを検査して前記方法を終了するステップ(13-2)であって、ある場合にはステップ(13-3)へ進む、ステップ(13-2)と、
・  過去X秒未満において警報が送信されていないことを検査するステップ(13-3)であって、Xは前記ユーザが反応して終了するための合理的な量の時間を表し、送信されている場合にはステップ(13-4)へ進む、ステップ(13-3)と、
・  既に3回の警報が伝送されているかどうかを検査して、伝送されている場合にはステップ(13-5)に切り換え、そうでなければステップ(13-7)に切り換えるステップ(13-4)と、
・  前記方法を終了する前に、前記接続されたデバイスが、出口において水を遮断し、前記システムネットワークを通じて閉鎖警報を伝送することを可能にするステップ(13-5、13-6)と、
・  前記方法を終了する前に、前記システムネットワークを通じて漏れ警報を伝送することを可能にするステップ(13-7)と、を含むことを特徴とする、方法。